(57)【要約】【課題】意匠性を高めた変化のあるモケット織物を実現させ、衣料の素材として有用なモケット織物を提供することを課題とする。【解決の手段】織物表面を突出したパイル糸が覆おうエリアと、織物表面にパイル糸が突出せず、色あるいは、太さ、表面形状が異なる２種類以上のヨコ糸が、織物表面織組織の６０％以上を覆うエリアを設け、ヨコ糸の意匠性をモケット織物に付加させる。【選択図】図１
2009256813.tif 000002
【特許請求の範囲】
【請求項１】
タテ糸（１０）とヨコ糸（１１）が交差した地組織に係止され、織物表面に突出したパイル糸（１２）からなるモケット織物において、ヨコ糸（１１）が２種類以上で構成され、織物表面を突出したパイル糸（１２）が覆おうエリア（２０）と、織物表面にパイル糸（１２）が突出せず、色あるいは、太さ、表面形状が異なる２種類以上のヨコ糸（１１）が、織物表面織組織の６０％以上を覆うエリア（２１）を持つことを特徴とするモケット織物。
【請求項２】
ヨコ糸（１１）に意匠糸を用いていることを特徴とする前掲請求項１に記載の織物。
【請求項３】
織物表面にパイル糸（１２）が突出せず、色あるいは、太さ、表面形状が異なる２種類以上のヨコ糸（１１）が、織物表面織組織の６０％以上を覆うエリア（２１）において、織物が２層構造を形成し、織物裏面（２３）を構成する織物組織にパイル糸が織り込まれ、織物表面（２２）を構成する織物組織にパイル糸（１２）が織り込まれていないことを特徴とする前掲請求項１又は請求項２に記載の織物。
【発明の詳細な説明】
【技術分野】
【０００１】
本発明は、タテ糸とヨコ糸が交差した地組織に係止され織物表面に突出したパイル糸からなるモケット織物に関するものである。
【背景技術】
【０００２】
従来のモケット織物は、パイル糸がタテ糸とヨコ糸が交差した地組織に係止され、ヨコ糸は、地組織にパイル糸を係止する目的で構成され、同じ糸が連続で織り込まれており、それゆえ、モケット織機は、ヨコ糸の選択機構を有していないのが一般的である。
【０００３】
なお、近年モケット織物にも機能性が求められ、公開特許公報（例えば、特許文献１参照）には、パイル布帛の地組織が、５０〜１５０％の伸縮率を有する複合糸条で構成されたものであることを特徴とするパイル布帛が開示されているが、物性を寄与するための素材を用いることは開示されているものの、ヨコ糸をモケット織物の意匠性に寄与するためとしては用いていない。
【０００４】
また、パイル布帛の意匠性を高める方法として、公開特許公報（例えば、特許文献２参照）には、強撚パイルと、非強撚パイルによってパイル面が構成することにより、凹凸図柄をパイル面に描出したパイル布帛が開示されているが、パイル糸自体に変化をもたせるものである。
【０００５】
また、公開特許公報（例えば、特許文献３参照）には、有毛布帛にレーザー光線を照射し凹凸パターン付き有毛布帛の製法が開示されているが、これも、パイル糸に変化をもたせるものである。
【０００６】
また、公開特許公報（例えば、特許文献４参照）には、金華山組織と呼ばれるパイルタテ糸と柄タテ糸をシャガードで開口させ意匠性を高める製法が開示されているが、タテ糸に変化をもたせるものであり、従来のモケット織物は、意匠性を高める方法としてヨコ糸を活用していない。
【特許文献１】特開平９-３０２５５３（請求項１）。
【特許文献２】特開２００２-２２７０５６（請求項１）。
【特許文献３】特開２００７-２２４４３７（請求項1）。
【特許文献４】特開平１０-１５８９５４（請求項1）。
【発明の開示】
【発明が解決しようとする課題】
【０００７】
従来の、パイル糸がタテ糸とヨコ糸が交差した地組織に係止された織物であるモケット織物は、金華山組織を除き、織物の表面全面をパイルが覆い、手触り感は非常にいいものの、変化の少ない織物であった。
【０００８】
また、金華山組織の場合、パイルが覆っていない部分は、地組織を形成すると同等の柄タテ糸が織物表面を構成しており、パイルの存在の有無による変化はあるものの、意匠性を高めた変化のある織物でなく、衣料の素材としては、目を引くものでなかった。
【０００９】
そこで本発明は、モケット織物の意匠性をより高め、衣料の素材として使用できる織物にすることを課題とする。
【課題を解決するための手段】
【００１０】
本発明に係る織物は、タテ糸１０とヨコ糸１１が交差した地組織に係止され織物表面に突出したパイル糸１２からなるモケット織物において、ヨコ糸１１が２種類以上で構成され、織物表面を突出したパイル糸１２が覆おうエリア２０と、織物表面にパイル糸１２が突出せず、色あるいは、太さ、表面形状が異なる２種類以上のヨコ糸１１が、織物表面織組織の６０％以上を覆うエリア２１を持つことを第１の特徴とする。
【００１１】
本発明によれば、パイル糸１２が覆おうエリア２０と、織物表面にパイル糸１２が突出しないエリア２１を設けることにより、織物に凹凸の変化をもたせることを実現させることに加え、織物表面にパイル糸１２が突出しないエリア２１において、色あるいは、太さ、表面形状が異なる２種類以上のヨコ糸が織物表面織組織の６０％以上を覆うことにより、ヨコ糸を活用し、今までにない意匠性を付加することができる。
【００１２】
また、本発明に係る織物の第２の特徴は、ヨコ糸１１に意匠糸を用いている点にある。
【００１３】
本発明によれば、ヨコ糸１１に意匠糸を用いている織物を得ることにより、織物表面にパイル糸１２が突出しないエリア２１において、より意匠性を高めることが出来る。
【００１４】
また、本発明に係る織物の第３の特徴は、織物表面にパイル糸１２が突出せず、色あるいは、太さ、表面形状が異なる２種類以上のヨコ糸１１が、織物表面織組織の６０％以上を覆うエリア２１において、織物が２層構造を形成し、織物裏面２３を構成する織物組織にパイル糸が織り込まれ、織物表面２２を構成する織物組織にパイル糸１２が織り込まれていない点にある。
【００１５】
本発明によれば、織物表面にパイル糸１２が突出しないエリア２１において、２層構造を形成し、パイル糸を織物裏面２３を構成する織物組織に織り込ませ、織物表面２２を構成する織物組織にパイル糸１２が存在しないようにすることにより、さらに、ココ糸の意匠性を高めることが出来る。
【発明の効果】
【００１６】
本発明によると、パイル糸１２が覆おうエリア２０と、織物表面にパイル糸１２が突出しないエリア２１を設けることにより、織物に凹凸の変化をもたせることを実現させることに加え、織物表面にパイル糸１２が突出しないエリア２１において、色あるいは、太さ、表面形状が異なる２種類以上のヨコ糸が織物表面織組織の６０％以上を覆うことにより、ヨコ糸を活用し、今までにない意匠性を付加することができる。
【００１７】
また、ヨコ糸１１に意匠糸を用いていることにより、織物表面にパイル糸１２が突出しないエリア２１において、より意匠性を高めることが出来、エリア２１において、２層構造を形成し、パイル糸を織物裏面２３を構成する織物組織に織り込ませ、織物表面２２を構成する織物組織にパイル糸１２が存在しないようにすることにより、さらに、ココ糸の意匠性を高めることが出来る。
【発明を実施するための最良の形態】
【００１８】
以下、図面に示す実施の形態により、本発明を詳細に説明する。
【００１９】
図１は、タテ糸１０とヨコ糸１１が交差した地組織に係止され織物表面に突出したパイル糸１２からなるモケット織物において、ヨコ糸１１がヨコ糸１１ａ・ヨコ糸１１ｂの２種類以上で構成され、織物表面を突出したパイル糸１２が覆おうエリア２０と、織物表面にパイル糸１２が突出せず、太さ・表面形状が異なる２種類のヨコ糸１１が、織物表面織組織の６０％以上を覆うエリア２１をもつモケット織物を示すものである。
【００２０】
なお、図１の例では、織物表面に突出したパイル糸１２をカットパイルとしているが、パイル糸１２はループパイルであってもよく、織物表面を突出したパイル糸１２が覆おうエリア２０においては、カットパイルとループパイルの両方を用いると、より意匠性が向上する。
【００２１】
また、図１の例では、ヨコ糸を２種類使用した場合を示しているが、ヨコ糸の使用種類は多ければ多いほど、意匠性が高くなり、ヨコ糸の配置パターンが長くなれば、さらに意匠性に変化をもたせることが出来る。
【００２２】
ここで言うヨコ糸の配置パターンとは、ヨコ糸は製織時、ある決められた順序で織り込まれるよう制御され、その順で織物に配置されており、この織り込まれ配置される順の１レピートを配置パターンと呼ぶ。
【００２３】
図２は、織物表面にパイル糸１２が突出せず、太さ・表面形状が異なる２種類のヨコ糸１１が、織物表面織組織の６０％以上を覆うエリア２１を示すものである。
【００２４】
なお、ヨコ糸１１が、織物表面織組織の６０％以上を覆うとは、エリア２１において、織物表面を真上から見た状態で、ヨコ糸１１の見える面積とタテ糸１０の見える面積を足した面積に占めるヨコ糸１１の見える面積の割合が６０％以上である状態を示す。
【００２５】
図３は、織物表面を突出したパイル糸１２が覆おうエリア２０と、織物表面にパイル糸１２が突出せず、色あるいは、太さ、表面形状が異なる２種類以上のヨコ糸１１が、織物表面織組織の６０％以上を覆うエリア２１が織物表面に展開された状態の１例を示すものであり、このエリア２０とエリア２１をデザイン性の高い状態で配置することにより、織物としての意匠性が高まる。
【００２６】
図４は、本発明における織物の２層構造を図示するものであり、織物表面にパイル糸１２が突出せず、太さが異なる２種類のヨコ糸１１が、織物表面織組織の６０％以上を覆うエリア２１において、織物が２層構造を形成し、織物裏面２３を構成する織物組織にパイル糸が織り込まれ、織物表面２２を構成する織物組織にパイル糸１２が織り込まれていない織組織された状態を示すものである。
【００２７】
本発明は、織物表面に突出しないパイル糸を織物裏面２３に織り込むことにより、エリア２１において、さらにヨコ糸の意匠性を高めることが可能にする。  
【図面の簡単な説明】
【００２８】
【図１】本発明に係る織物の斜視図である。
【図２】本発明に係る織物の平面図である。
【図３】本発明に係る織物の平面イメージ図である。
【図４】本発明に係る織物の側面図である。
【符号の説明】
【００２９】
１０：タテ糸
１１：ヨコ糸
１１ａ：ヨコ糸
１１ｂ：ヨコ糸
１２：パイル糸
２０：パイル糸が織物表面を覆おうエリア 
２１：織物表面にパイル糸が突出せず、２種類以上のヨコ糸が、織物表面織組織の６０％
以上を覆うエリア
２２：織物表面
２３：織物裏面
【図１】
2009256813.tif 000003
【図２】
2009256813.tif 000004
【図３】
2009256813.tif 000005
【図４】
2009256813.tif 000006